(57)【要約】【課題】少なくとも採光機能に優れて、かつ色合いに統一感のあるブラインドを提供する。【解決手段】ブラインド１０は、第１方向に配列された複数のスラット２０を備える。複数のスラット２０は、所定の色で着色された１以上の遮光性スラットを有する第１スラット領域と、第１方向に沿って第１スラット領域に隣接して配置された、１以上の透光性スラットを有する第２スラット領域と、を有し、第２スラット領域の少なくとも一部の透光性スラットが採光機能を有し、第２スラット領域の第１スラット領域に隣接した透光性スラットが第１スラット領域の遮光性スラットの色と同系色相で着色されている。【選択図】図１
2015004183.tif 000002
【特許請求の範囲】
【請求項１】
第１方向に配列された複数のスラットを備え、
前記複数のスラットは、
所定の色で着色された１以上の遮光性スラットを有する第１スラット領域と、
前記第１方向に沿って前記第１スラット領域に隣接して配置された、１以上の透光性スラットを有する第２スラット領域と、を有し、
前記第２スラット領域の少なくとも一部の透光性スラットが採光機能を有し、
前記第２スラット領域の前記第１スラット領域に隣接した透光性スラットが前記第１スラット領域の遮光性スラットの色と同系色相で着色されているブラインド。
【請求項２】
前記第２スラット領域の前記第１スラット領域から離隔した透光性スラットが採光機能を有する請求項１に記載のブラインド。
【請求項３】
前記第２スラット領域の透光性スラットが、前記第１スラット領域に隣接した透光性スラットから第１方向に沿って、スラットごとに色が段階的に変化している請求項１又は２に記載のブラインド。
【請求項４】
前記第２スラット領域は、
前記第１方向に沿って前記第１スラット領域と離隔して配置され、前記第１スラット領域の遮光性スラットの色と色相が異なる色で着色された透光性スラットを有する第３スラット領域と、
前記第１方向に沿って前記第１スラット領域と前記第３スラット領域とに接するように配置され、前記第１スラット領域に隣接しかつ前記第１スラット領域の遮光性スラットの色と同系色相で着色された透光性スラットを有する第４スラット領域と、を含み、
前記第３スラット領域の透光性スラットが採光機能を有する請求項１乃至３のいずれか一項に記載のブラインド。
【請求項５】
前記第４スラット領域の前記第３スラット領域に隣接した透光性スラットが前記第３スラット領域の透光性スラットの色と同系色相で着色されている請求項４に記載のブラインド。
【請求項６】
前記第４スラット領域の透光性スラットが、前記第３スラット領域に隣接した透光性スラットから第１方向に沿って、スラットごとに色が段階的に変化している請求項５に記載のブラインド。
【請求項７】
前記第２スラット領域を構成する少なくとも一部の透光性スラットは、前記第１方向と非平行な第２方向に延び、かつ、前記第２方向と非平行な第３方向に配列された複数の第１部分と、
前記第３方向に沿って前記第１部分と交互に配列され、且つ、前記第１部分とは異なる屈折率を有する複数の第２部分と、を有する請求項１乃至６のいずれかに記載のブラインド。
【請求項８】
前記第２スラット領域の前記第１スラット領域に隣接した透光性スラットにて、前記第１部分および前記第２部分の少なくとも一方は、前記第１スラット領域の遮光性スラットの色と同系色相で着色されている請求項７に記載のブラインド。
【請求項９】
前記第２スラット領域の前記第１スラット領域に隣接した透光性スラットにて、前記第２部分の屈折率は前記第１部分の屈折率よりも小さく、前記第２部分は前記第１スラット領域の遮光性スラットの色と同系色相で着色されている請求項８に記載のブラインド。
【請求項１０】
前記第２スラット領域を構成する少なくとも一部の透光性スラットは、反射または屈折により入射光の進行方向を変更する単位プリズムを有し、
前記第２スラット領域の前記第１スラット領域に隣接した透光性スラットにおける前記単位プリズムは、前記第１スラット領域の遮光性スラットの色と同系色相で着色されていることを特徴とする請求項１乃至６のいずれかに記載のブラインド。
【請求項１１】
前記第２スラット領域を構成する透光性スラットの表面を覆う層を備え、
前記第２スラット領域の前記第１スラット領域に隣接した透光性スラットにおける層は、前記第１スラット領域の遮光性スラットの色と同系色相で着色されている請求項１乃至１０のいずれかに記載のブラインド。
【請求項１２】
所定の色で着色されたブラインドと、
下部側は前記ブラインドと重ね合わされ、上部側は露出される採光具と、を備え、
前記ブラインドと重ね合わされない前記採光具の上部側のうち前記ブラインドに近い側は、前記ブラインドと同系色相の色で着色されている照明装置。
【請求項１３】
前記採光具は、
一方の表面上の第１方向に離隔して形成され、それぞれが第２方向に延びる複数の溝を有する第１部分と、
前記複数の溝内にそれぞれ設けられる複数の第２部分と、を備え、
前記採光具の上部側のうち前記ブラインドに近い側の前記第１部分および前記第２部分の少なくとも一方は、前記ブラインドと同系色相の色で着色されている請求項１２に記載の照明装置。
【請求項１４】
前記採光具は、一方の表面に沿って配置され、それぞれが反射または屈折により入射光の進行方向を変更する複数の単位プリズムを有し、
前記採光具の上部側のうち前記ブラインドに近い側の前記単位プリズムは、前記ブラインドと同系色相の色で着色されている請求項１３に記載の照明装置。
【発明の詳細な説明】
【技術分野】
【０００１】
本発明は、ブラインドおよび照明装置に関する。
【背景技術】
【０００２】
特許文献１に開示されているように、採光用の窓に取り付けられるブラインドが、広く利用に供されている。ブラインドは、典型的に、鉛直方向に間隔をあけて配列された多数のスラットを有している。各スラットは、水平方向に延び、その傾きを変化させることができるように支持されている。このようなブラインドは、スラットの傾きを調整することにより、室外から室内を観察されることを規制する目隠し機能、斜め上方からの外光が室内にそのまま入射することを防止して防眩を図る遮光機能、斜め上方からの外光を室内にそのまま取り入れる採光機能等を発現することができる。
【先行技術文献】
【特許文献】
【０００３】
【特許文献１】特開２００６−２２２０１１号公報
【発明の概要】
【発明が解決しようとする課題】
【０００４】
従来のブラインドは、完全に閉じてしまうと、ブラインドを通して外光を室内に取り込むことができず、室内が暗くなるという問題があった。
【０００５】
ブラインドは、窓の全面に取り付けられることが多いが、窓の上部側は、人間の視線が届きにくいことから、防眩の必要性もそれほど要求されず、本来的にはブラインドを閉じる必要はない。このため、ブラインドの上部側は、ブラインドを閉じた状態でも外光を室内に取り込めるようにするのが望ましい。また、ブラインドの下部側は、人間の視線が届きやすいため、遮光、遮熱および目隠し機能をできるだけ高めるのが望ましい。
【０００６】
このように、ブラインドの上下方向の領域によって、それぞれ異なる光学特性をブラインドに持たせるのが望ましい。
【０００７】
ブラインドは、遮光、採光、遮熱および目隠しとしての機能を果たすだけでなく、部屋のインテリアの一要素としても重要である。特に、ブラインドを閉じたときに、部屋の色合いとの一体感が出るように、様々な色のブラインドが提供されている。
【０００８】
上述したように、ブラインドを領域分けして、それぞれ異なる光学特性を持たせるようにすると、領域ごとに色合いが変化するおそれがある。したがって、せっかく最適な色のブラインドを選択したとしても、領域分けしたことで、領域ごとに色合いが変化してしまい、部屋にいる人間にかなりの違和感を与えてしまうこともありうる。
【０００９】
本発明は、上述した問題点を考慮してなされたものであり、少なくとも採光機能に優れて、しかも色合いに統一感のあるブラインドおよび照明装置を提供するものである。
【課題を解決するための手段】
【００１０】
本発明の一実施形態に係るブラインドでは、第１方向に配列された複数のスラットを備え、
前記複数のスラットは、
所定の色で着色された１以上の遮光性スラットを有する第１スラット領域と、
前記第１方向に沿って前記第１スラット領域に隣接して配置された、１以上の透光性スラットを有する第２スラット領域と、を有し、
前記第２スラット領域の少なくとも一部の透光性スラットが採光機能を有し、
前記第２スラット領域の前記第１スラット領域に隣接した透光性スラットが前記第１スラット領域の遮光性スラットの色と同系色相で着色されている。
【００１１】
前記第２スラット領域の前記第１スラット領域から離隔した透光性スラットが採光機能を有していてもよい。
【００１２】
前記第２スラット領域の透光性スラットが、前記第１スラット領域に隣接した透光性スラットから第１方向に沿って、スラットごとに色が段階的に変化していてもよい。
【００１３】
前記第２スラット領域は、
前記第１方向に沿って前記第１スラット領域と離隔して配置され、前記第１スラット領域の遮光性スラットの色と色相が異なる色で着色された透光性スラットを有する第３スラット領域と、
前記第１方向に沿って前記第１スラット領域と前記第３スラット領域とに接するように配置され、前記第１スラット領域に隣接しかつ前記第１スラット領域の遮光性スラットの色と同系色相で着色された透光性スラットを有する第４スラット領域と、を含み、
前記第３スラット領域の透光性スラットが採光機能を有していてもよい。
【００１４】
前記第４スラット領域の前記第３スラット領域に隣接した透光性スラットが前記第３スラット領域の透光性スラットの色と同系色相で着色されていてもよい。
【００１５】
前記第４スラット領域の透光性スラットが、前記第３スラット領域に隣接した透光性スラットから第１方向に沿って、スラットごとに色が段階的に変化していてもよい。
【００１６】
前記第２スラット領域を構成する少なくとも一部の透光性スラットは、前記第１方向と非平行な第２方向に延び、かつ、前記第２方向と非平行な第３方向に配列された複数の第１部分と、
前記第３方向に沿って前記第１部分と交互に配列され、且つ、前記第１部分とは異なる屈折率を有する複数の第２部分と、を有していてもよい。
【００１７】
前記第２スラット領域の前記第１スラット領域に隣接した透光性スラットにて、前記第１部分および前記第２部分の少なくとも一方は、前記第１スラット領域の遮光性スラットの色と同系色相で着色されていてもよい。
【００１８】
前記第２スラット領域の前記第１スラット領域に隣接した透光性スラットにて、前記第２部分の屈折率は前記第１部分の屈折率よりも小さく、前記第２部分は前記第１スラット領域の遮光性スラットの色と同系色相で着色されていてもよい。
【００１９】
前記第２スラット領域を構成する少なくとも一部の透光性スラットは、反射または屈折により入射光の進行方向を変更する単位プリズムを有し、
前記第２スラット領域の前記第１スラット領域に隣接した透光性スラットにおける前記単位プリズムは、前記第１スラット領域の遮光性スラットの色と同系色相で着色されていてもよい。
【００２０】
前記第２スラット領域を構成する透光性スラットの表面を覆う層を備え、
前記第２スラット領域の前記第１スラット領域に隣接した透光性スラットにおける層は、前記第１スラット領域の遮光性スラットの色と同系色相で着色されていてもよい。
【００２１】
所定の色で着色されたブラインドと、
下部側は前記ブラインドと重ね合わされ、上部側は露出される採光具と、を備え、
前記ブラインドと重ね合わされない前記採光具の上部側のうち前記ブラインドに近い側は、前記ブラインドと同系色相の色で着色されていてもよい。
【００２２】
前記採光具は、
一方の表面上の第１方向に離隔して形成され、それぞれが第２方向に延びる複数の溝を有する第１部分と、
前記複数の溝内にそれぞれ設けられる複数の第２部分と、を備え、
前記採光具の上部側のうち前記ブラインドに近い側の前記第１部分および前記第２部分の少なくとも一方は、前記ブラインドと同系色相の色で着色されていてもよい。
【００２３】
前記採光具は、一方の表面に沿って配置され、それぞれが反射または屈折により入射光の進行方向を変更する複数の単位プリズムを有し、
前記採光具の上部側のうち前記ブラインドに近い側の前記単位プリズムは、前記ブラインドと同系色相の色で着色されていてもよい。
【発明の効果】
【００２４】
本発明によれば、少なくとも採光機能に優れて、かつ色合いに統一感のあるブラインドを提供できる。
【図面の簡単な説明】
【００２５】
【図１】本発明の第１の実施形態に係るブラインド１０の斜視図。
【図２】ブラインドのスラットの動作を説明するための図。
【図３】ブラインドのスラットの動作を説明するための図。
【図４】第２スラット２２の斜視図。
【図５】第２スラット２２の主断面図。
【図６】第１スラット２１と第２スラット２２の外観の色を模式的に示した図。
【図７】図６の一変形例を示す図。
【図８】第２の実施形態に係るブラインド１０の外観を示す図。
【図９】第２スラット２２の一変形例に係る内部構造を示す図。
【図１０】窓１等の採光具１１の下部側を覆うブラインド１０を備えた照明装置の一例を示す図。
【図１１】窓１にウインドウフィルム４５を貼り付けた採光具１１の断面図。
【発明を実施するための形態】
【００２６】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２７】
また、本明細書において用いる、形状や幾何学的条件並びにそれらの程度を特定する、例えば、「平行」、「直交」、「同一」等の用語については、厳密な意味に縛られることなく、同様の機能を期待し得る程度の範囲を含めて解釈することとする。
【００２８】
（第１の実施形態）
図１は本発明の第１の実施形態に係るブラインド１０の斜視図であり、図２及び図３はブラインドのスラットの動作を説明するための図である。
【００２９】
図１に示すように、ブラインド１０は、第１方向（例えば、上下方向）に配列された複数のスラット２０と、スラット２０を支持及び操作するための手段と、を有している。図２及び図３に示すように、ブラインド１０は、窓１等の採光具に対面する位置に配置される。スラット２０は、羽根板とも呼ばれ、上下方向と非平行な方向に細長く延びる薄板状の部材として形成されている。スラット２０は、その傾きが可変となるように支持されている。スラット２０の傾きを調整することによって、窓１に対面する位置に配置されたブラインド１０は、後述するように種々の機能を発揮することができる。
【００３０】
本実施形態において、ブラインド１０に含まれるスラット２０は、第１方向すなわち上下方向に並べられるとともに、各スラット２０は水平方向に延びている。このブラインド１０は、壁２、天井３及び床４によって区画された室内に配置され、壁２に形成された採光用の窓１に対面するよう、壁２に取り付けられている。ブラインド１０は、壁２への取付具となる取付ボックス１２と、取付ボックス１２から垂下し且つ鉛直方向に間隔をあけて多数のスラット２０を支持するラダーコード１６と、スラット２０を引き上げるための昇降コード１８と、ラダーコード１６及び昇降コード１８に連結された操作グリップ１４と、を有する。
【００３１】
本実施形態において、ラダーコード１６は、ブラインド１０に含まれるすべてのスラット２０を概ね平行となるよう、スラット２０の傾きを制御する。そして、操作グリップ１４を介してラダーコード１６を操作することにより、スラット２０の傾きを調整することができる。また、一方、操作グリップ１４を介して昇降コード１８を操作することにより、下方側のスラット２０から順に鉛直方向における間隔を狭めるようにして、多数のスラット２０を引き上げることができる。この際、多数のスラット２０の少なくとも一部が取付ボックス１２内に収容され、且つ、窓１が室内に露出する。同様に、操作グリップ１４を介して昇降コード１８を操作することにより、上方に集められたスラット２０を、窓１に対面する位置に下げることができる。本実施形態におけるブラインド１０において、取付ボックス１２、操作グリップ１４、ラダーコード１６，昇降コード１８、並びに、操作グリップ１４を介してラダーコード１６及び昇降コード１８を操作する機構は、既知の種々の構成を採用することができる。
【００３２】
次に、スラット２０についてさらに詳述する。本実施形態において、各スラット２０は、図２及び図３に示すように、若干湾曲した薄板状に形成されている。多数のスラット２０は、その外輪郭が同一である。その一方で、ここで説明するブラインド１０では、上下方向における上方に位置する一部のスラットが、その他のスラットと異なる機能を発揮し得るように構成されている。本実施形態では、ブラインド１０に含まれるスラット２０は、上下方向における下方となる下方領域１０ｂ内に位置する１以上のスラットからなる第１スラット領域と、上下方向における上方となる上方領域１０ａ内に位置する１以上のスラットからなる第２スラット領域とに区分けされ、互いに異なる構成を有する。以下では、第１スラット領域を構成する各スラットを第１スラット２１と呼び、第２スラット領域を構成する各スラットを第２スラット２２と呼ぶ。第１スラット２１は、遮光性スラットであり、全ての可視光を遮蔽する。一方、第２スラット２２は、透光性スラットであり、少なくとも一部の可視光は第２スラット２２の内部を通って透過する。すなわち、第２スラット領域に含まれるすべての第２スラット２２を閉じた（立てた）状態でも、外光の少なくとも一部は第２スラット２２を透過するようになっている。なお、第２スラット２２は、入射した全波長の可視光を透過させる必要はなく、入射した全量の可視光を透過させる必要もない。
【００３３】
なお、ブラインド１０に含まれるスラット２０のうち、第１スラット２１は、既知のスラットと同様に構成され得る。したがって、第１スラット２１は、一例として、耐食アルミニウム合金からなる薄板材、木材からなる薄板材、または樹脂からなる薄板材等を用いることができる。このような第１スラット２１は、可視光遮光性を有する。第１スラット２１は、可視光を反射する機能を付与し、入射光の進行方向を変化させることもできる。また、第１スラット２１の表面に、ブラインド１０に対して遮熱、防汚、抗菌、消臭機能を付与するための機能層が形成されていてもよい。一例として、フッ素コートや酸化チタンコートを第１スラット２１に設けることができる。なお、各スラット２０の外輪郭は、湾曲せずに平らであってもよく、各スラットごとにそれぞれ異なるようにしてもよい。例えば、第１スラット２１を若干湾曲した薄板状にして、第２スラット２２を平らな薄板状にすることができる。平らな薄板状の方が湾曲した薄板状よりも採光機能を付与するための内部構造の形成が容易である。
【００３４】
図４は第２スラット２２の斜視図、図５は第２スラット２２の主断面図である。以下では、図４と図５を用いて、第２スラット領域を構成する第２スラット２２について説明する。まず、第２スラット２２は、可視光が透過することを可能にする透明な部分２５を含んでいる。そして、第２スラット２２は、透明な部分２５を透過する光の進行方向を曲げることができるよう、構成されている。
【００３５】
このように、第２スラット領域の少なくとも一部の透光性スラットは、採光機能を有する。すなわち、第２スラット領域に入射した外光がスラットの内部を透過しながら入射した角度とは異なる角度で出射されるので、斜め上方からの外光を室内に所望の方向に向かって取り入れることができる。ブラインド全体に占める第１スラット領域と第２スラット領域との面積比は特に制限されるものではないが、ブラインド本来の機能である目隠し機能と遮光機能に加えて、採光機能をより強調したい場合には、第２スラット領域の面積を第１スラット領域の面積よりも大きくするのが望ましい。
【００３６】
なお、上述したように、本実施形態において、第１スラット２１及び第２スラット２２は、湾曲した薄板形状の輪郭を有する。ただし、図５においては、第２スラット２２の全体的な光学機能の理解を容易にするため、第２スラット２２を平坦な薄板形状の輪郭にて示している。また、図４及び図５に示された第２スラット２２は、図３に示すように起立した状態を示している。
【００３７】
本実施形態では、上下方向に配置された複数の第２スラット２２のうち、第１スラット２１に隣接した第２スラット２２を、その第１スラット２１と同系色相の色で着色している。ここで、同系色相の色とは、アメリカ光学会による修正マンセル表色系にて、有彩色の場合はマンセル色相環の基本１０色相で同一色相およびその隣接色相に属する色を指し、無彩色の場合は同一色相に属する色を指す。より統一感を得るためには、第１スラット２１の色が属する色相と同一色相に属する色にすることが好ましい。色の色相、明度、および彩度は、白色板上のサンプルの色を色票集（Ｍｕｎｓｅｌｌ  Ｂｏｏｋ  ｏｆ  Ｃｏｌｏｒ）の色と対比して決定することができる。
【００３８】
図６は第１スラット２１と第２スラット２２の外観の色を模式的に示した図である。図示のように、第１スラット２１はすべて同じ色であるのに対し、第２スラット２２は個々のスラットごとに色が段階的に変化しており、第１スラット２１に近いほど、第２スラット２２の色に近い色合いになっており、第１スラット２１に隣接した第２スラット２２およびそれに連続する幾つかの第２スラット２２は、第１スラット２１と同系色相の色で着色されている。ここで、第１スラット２１は、不透明であり、採光機能は持たないが、第２スラット２２の一部又は全部は、採光機能を持っている。なお、第１スラット２１に隣接している第２スラット２２は、採光機能は持っていても持っていなくてもどちらでもよい。着色材の量を多くすると採光機能が低下する傾向があるので、第１スラット２１に隣接している第２スラット２２は色合いの統一のために主に用いて、第１スラット２１から離隔した第２スラット２２を採光のために主に用いることによって、意匠性と採光機能のバランスが良好になるように調整することが容易である。また、本実施形態では、第１スラット２１に隣接している第２スラット２２は、色合いの統一のためにその第１スラット２１と同系色相の色で着色されているが、第１スラット２１に隣接している第２スラット２２に連続する第２スラット２２は着色されていても着色されていなくてもどちらでもよい。もっとも、第１スラット２１に隣接している第２スラット２２に連続する第２スラット２２のうち幾つも第１スラット２１と同系色相の色で着色されている方が、色合いの統一のためにより好ましい。
【００３９】
図６のように、第１スラット２１に隣接した第２スラット２２を第１スラット２１と同系色相で着色するため、採光機能を持たない第１スラット２１と採光機能を持つ第２スラット２２との境界が目立ちにくくなり、ブラインド全体として色の統一感を出すことができる。また、第２スラット２２の色を第１スラット領域に隣接したスラットから上方に向かって各スラットごとに段階的に変化させることで、意匠性を高めることができる。第２スラット２２の色を各スラットごとに段階的に変化させる方法としては、同系色相に属する色の範囲内で、色相、明度および彩度の少なくともいずれか一つを変えればよい。この場合、変化を明確にするために、色相値、明度値、および彩度値の少なくとも一つの値は１以上異なることが好ましい。さらに、後述のように、第２スラット２２に含まれる着色材の量を増減して、第２スラット２２の色を段階的に変化させることで、例えば第１スラット２１から離れた位置にある第２スラット２２ほど、採光効率を高めることができる。なお、採光効率とは入光量に対する採光量の割合をいう。
【００４０】
図４及び図５に示すように、第２スラット２２は、基材層４０と、基材層４０上に支持された光制御層３０と、を有している。基材層４０及び光制御層３０は、第２スラット２２の板面に沿って延びている。
【００４１】
基材層４０は、後述する光制御層３０の製造方法に起因して設けられているが、特に必須の構成要素ではない。したがって、一例として、単なる透明または半透明な樹脂製フィルムから形成され得る。
【００４２】
また、図４及び図５において二点鎖線で示すように、光制御層３０の基材層４０とは反対側に、何らかの機能、例えば、防汚、抗菌、消臭、保護機能を発現することを期待された機能層４５をさらに設けるようにしてもよい。
【００４３】
第２スラット２２は、基材層４０及び光制御層３０の少なくとも一部分によって形成される透明な部分を有する。この透明な部分があるおかげで、第２スラット２２は、入射光を第２スラット２２の厚み方向に透過させることができる。このように、第２スラット２２は透光性を持つ点で、透光性を持たない第１スラット２１と大きく異なる。
【００４４】
光制御層３０は、上下方向と非平行な第２方向ｄ２に延び且つ第３方向ｄ３に配列された多数の第１部分３１と、第３方向ｄ３に沿って第１部分３１と交互に配列された多数の第２部分３２と、を有する。図示された例において、第１部分３１及び第２部分３２は互いに隣接して交互に配列されている。また、光制御層３０は、第１部分３１及び第２部分３２を支持するシート状のベース部分（ランド部）３３をさらに有している。このベース部分３３は、第１部分３１と一体的に形成されており、第１部分３１とともに光制御層本体３４を形成している。
【００４５】
このように、光制御層３０は、複数の溝３４ａが形成された光制御層本体３４と、光制御層本体３４の複数の溝３４ａ内にそれぞれ形成された第２部分３２と、を有し、光制御層本体３４は第１部分３１とベース部分３３とで構成されている。
【００４６】
図４に示すように、本実施形態において、第１部分３１及び第２部分３２は、第２スラット２２の長手方向に平行となるよう、水平方向に延びている。すなわち、第１部分３１及び第２部分３２の長手方向となる第２方向ｄ２は、水平方向に延びている。また、第１部分３１及び第２部分３２は、第２方向ｄ２に直交し且つ薄板状からなる第２スラット２２の板面と平行である第３方向ｄ３に交互に配列されている。なお、スラット２０の板面とは、対象となる板状のスラット２０を全体的かつ大局的に観察した場合においてその平面方向と一致する面のことを指す。したがって、本実施形態においては、スラット２０の板面は、曲面となっている。
【００４７】
なお、図４に示すように、各スラット２０は、水平方向に延びる軸線を中心として湾曲した形状となっている。また、図４に矢印Ａ１で示すように、各スラット２０は、ラダーコード１６によって、水平方向に延びる軸線を中心として回動するようにその板面の傾きを変化させることができる。
【００４８】
次に、第１部分３１及び第２部分３２の形状について説明する。図５に示すように、第２部分３２は、光制御層３０の基材層４０側とは反対側の面の一部をなす底面３５と、底面３５から延び出た第１側面３６及び第２側面３７と、を含んでいる。図示された例において、第２スラット２２の板面に沿った第１側面３６及び第２側面３７の離間間隔は、第２スラット２２の板面への法線方向に沿って底面３５から離間するにつれて、互いに接近していき、最終的に互いに接続している。図示された例において、第２側面３７は平坦面として形成されているが、第１側面３６は折れ面として形成されている。とりわけ、図示された例では、第１側面３６は、底面３５に接続する急斜面３６ａと、底面３５から離間した側に位置して第２側面３７と接続する緩斜面３６ｂと、を含んでいる。第２スラット２２の板面への法線方向に対して急斜面３６ａがなす角度は、第２スラット２２の板面への法線方向に対して緩斜面３６ｂがなす角度よりも大きくなっている。
【００４９】
図示された例において、第２部分３２は、第３方向ｄ３に沿って等間隔に配置されている。また、図示された例において、一つの第２スラット２２に含まれる第２部分３２は、互いに同一に構成されている。以上の第２部分３２の構成にともない、図示された例では、一つの第２スラット２２に含まれる第１部分３１は、第３方向ｄ３に沿って等間隔に配置され、且つ、互いに同一に構成されている。
【００５０】
図５に示された断面での、第２部分３２の第３方向ｄ３に沿った配列ピッチは、一例として、１ｍｍ以下とすることができ、第２スラット２２の板面への法線方向に沿った第２部分３２の高さは、１ｍｍ以下とすることができる。また、第２スラット２２の板面への法線方向に沿った光制御層３０の厚みは、１００μ以上２ｍｍ以下とすることができる。
【００５１】
なお、図示された第１部分３１及び第２部分３２の構造は、単なる例示であり、種々の変更が考えられる。一例として、第２部分３２の断面形状を、三角形形状や台形形状等の種々の形状に変更することができる。また、複数の第２スラット２２が、互いに同一に構成されていてもよいし、或いは、複数の第２スラット２２の間で、第１部分３１及び第２部分３２の少なくとも一方についての形状や配列が異なるようにしてもよい。
【００５２】
次に、第１部分３１及び第２部分３２の材料について説明する。第２スラット２２は、その厚み方向に光を透過可能とする透明な部分２５を有している。したがって、第２スラット２２の板面に沿って配列された第１部分３１及び第２部分３２のうちの少なくとも一方が透明となっている。本明細書において「透明」とは、可視光透過率が５０％以上となっていることを意味している。なお、本明細書における可視光透過率は、測定対象となる部位をなすようになる材料を東洋紡績製ＰＥＴフィルム（品番:コスモシャインＡ４３００、厚さ１００μｍ)の上に膜厚１μｍで成膜し、分光光度計（（株）島津製作所製「ＵＶ−２４５０」、ＪＩＳＫ０１１５準拠品）を用いて測定波長３８０ｎｍ〜７８０ｎｍの範囲内で測定したときの、各波長における透過率の平均値として特定される。
【００５３】
本実施形態では、第１部分３１が透明となっており、好ましくは、第１部分２０の可視光透過率は７０％以上となっており、より好ましくは、第１部分２０の可視光透過率は９０％以上となっている。すなわち、本実施形態において、光の進行方向を変化させる透明な部分２５は、第１部分３１と、ベース部分３３及び基材層４０のうちの第２スラット２２の板面への法線方向に沿って第１部分３１と並んだ部分と、によって形成されている。第１部分３１及び第１部分３１と一体的に形成されるベース部分３３をなす光制御層本体３４に用いられる材料として、例えば、樹脂材料、とりわけ電離放射線の照射により硬化する電離放射線硬化性樹脂の硬化物を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、アクリル樹脂が挙げられる。
【００５４】
一方、第２部分３２は、第１部分３１とは異なる屈折率を有する。本実施形態において、第２部分３２は、バインダーとして機能する主部３２ａと、主部３２ａ中に分散された任意の機能性含有物３２ｂと、を有している。主部３２ａの屈折率は、第１部分３１の屈折率と異なっており、この結果、第１部分３１と第２部分３２との界面が、屈折率差を有し、可視光を反射する面として機能する。第１部分３１側から入射した可視光を第１部分３１と第２部分との界面で反射させるためには、第２部分３２の屈折率を第１部分３１の屈折率よりも小さくなるように調節することが好ましい。第２部分３２の主部３２ａに用いられる材料として、例えば、樹脂材料、とりわけ電離放射線の照射により硬化する電離放射線硬化性樹脂の硬化物を用いることができる。電離放射線硬化性樹脂としては、紫外線硬化性樹脂、電子線硬化性樹脂、可視光線硬化性樹脂、近赤外線硬化性樹脂等が挙げられる。樹脂材料の具体例としては、第１部分３１に用いるアクリル樹脂とは屈折率が異なるアクリル樹脂が挙げられる。もっとも、機能性含有物３２ｂを有する場合にその機能性含有物３２ｂによって第２部分３２の屈折率が変わるのであれば、第１部分３１に用いるものと同じアクリル樹脂を用いてもよい。
【００５５】
本実施形態では、第２スラット２２内の第２部分３２に、第１スラット２１と同系色相の色を発現する着色材を含有させ、この着色材の量を第２スラット２２のそれぞれごとに相違させている。着色材としては、可視光波長帯域の少なくとも一部の波長域の光を吸収する機能を有する粒子を用いることができる。着色材の一例として、顔料、より具体的には、第１スラット２１の色に合わせて、カーボンブラック、黒鉛、窒化チタン等の黒色顔料や、酸化チタン等の白色顔料を用いることができる。また、紺色、青色、紫色等の青みを帯びた粒子、赤みを帯びた粒子、黄色みを帯びた粒子等を着色材として用いてもよい。
【００５６】
本実施形態では、第１スラット２１に近い側に配置される第２スラット２２ほど、第２スラット２２の外観の色が第１スラット２１の色に近づくように、対応する第２部分３２に含有させる着色材の量を増やしている。言い換えると、第１スラット２１から距離が離れるほど、第２スラット２２内の第２部分３２に含有させる着色材の量を減らしている。これにより、図６に示したように、第１スラット２１に近い側に配置される第２スラット２２の外観の色は第１スラット２１とほとんど変わらない色で視認され、第１スラット２１から遠くなるにつれて、少しずつ第２スラット２２の外観の色が変化するようになる。
【００５７】
本実施形態では、第２部分３２の屈折率を第１部分３１の屈折率よりも小さくなるように調節することが好ましい。第１部分３１側から入射した可視光は第１部分３１と第２部分との界面で反射するので、第１部分３１側から入射した可視光は第２部分２２に含有されている着色材の影響を受けにくいからである。
【００５８】
なお、第２スラット２２の外観の色を変化させる手法は、第２部分３２に含有させる着色材の量を調整することに限定されない。着色材の種類を変えてもよいし、例えば、第２部分３２の形状やサイズを変えてもよい。より具体的には、第１スラット２１に近い側の第２スラット２２ほど、その内部の第２部分３２の幅を大きくしたり、あるいは第２部分３２の深さを深くしてもよい。この場合、第２部分３２に含有される着色材の単位体積当たりの密度を同じにしても、第２部分３２の体積が大きい第２スラット２２ほど、濃い色で視認されることになる。
【００５９】
また、第２スラット２２内に設けられる第２部分３２の数や間隔（ピッチ）を調整することでも、第２スラット２２の外観の色を変化させることができる。例えば、第１スラット２１に近い側ほど、第２スラット２２内に設けられる第２部分３２の数を増やして、第２部分３２のピッチを狭めればよい。この場合、第２部分３２に含有される着色材の量をすべての第２部分３２で共通にしても、第２スラット２２内に設けられる第２部分３２の数が多いほど、第２スラット２２の外観の色は濃く視認される。
【００６０】
さらに、第２部分３２に着色材を含有させる代わりに、あるいは第２部分３２に着色材を含有させることに加えて、第１部分３１に着色材を含有させてもよい。この場合、第１スラット２１に近い側の第２スラット２２ほど、対応する第１部分３１に含有される着色材を増やせばよい。ただし、第１部分３１に着色材を含有させると、着色材の単位体積当たりの含有量が多くなるほど、透過率が低下してしまうため、採光機能が少なからず損なわれてしまう。このため、透過率の低下が許容される範囲内で、第１部分３１に着色材を含有させる必要がある。
【００６１】
また、第１部分３１や第２部分３２に着色材を含有させる代わりに、あるいは第１部分３１や第２部分３２に着色材を含有させることに加えて、第２スラット２２に配置される機能層（保護層）４５や基材層４０などの層に着色材を含有させてもよい。この場合、第１スラット２１に近い側の第２スラット２２ほど、対応する機能層４５に含有される着色材を増やせばよい。ただし、この場合も、機能層４５に含有される着色材の単位体積当たりの含有量が増えるほど、採光機能が損なわれてしまうため、透過率の低下が許容される範囲内で、機能層４５に着色材を含有させる必要がある。
【００６２】
第２部分３２の機能性含有物３２ｂは、上述した着色材以外に、熱線吸収材を含有していてもよい。熱線吸収材として、赤外光波長帯域に吸収特性を有し、且つ、可視光波長帯域に透過特性を有する粒子が用いられる。具体的には、熱線吸収材として、透明性を有する無機ナノ粒子を用いることができ、例えば、アンチモン錫酸化物（ＡＴＯ） 、インジウム錫酸化物（ＩＴＯ）、六ホウ化ランタン（ＬａＢ６）、アルミニウムドープ酸化亜鉛、インジウムドープ酸化亜鉛、ガリウムドープ酸化亜鉛、酸化タングステン、六ホウ化セリウム、無水アンチモン酸亜鉛および硫化銅またはそれらの混合物のナノ粒子等を用いることができる。
【００６３】
図６では、第２スラット領域を構成する個々の第２スラット２２ごとに色を変化させる例を説明した。すなわち、一つの第２スラット２２の色は同じであることを前提としていた。これに対して、一つの第２スラット２２の中で徐々に色を変化させてもよい。
【００６４】
図７は図６の一変形例を示す図である。図７に示すように、第２スラット２２のそれぞれは、第１スラット領域に近い側から順に、第１スラット領域と同系色相の範囲内で、一つの第２スラット２２の内部で徐々に色が変化するようにグラデーションを持たせて着色されている。グラデーションを持たせるには、同系色相に属する色の範囲内で、色相、明度および彩度の少なくともいずれか一つを段階的に変えていけばよい。このようなグラデーション着色を実現する一手法は、第２スラット２２内の第２部分３２に含有される着色材の量を、第２部分３２の並ぶ方向に沿って段階的に変えればよい。より具体的には、第１スラット領域に近い側ほど、第２部分３２に含有される着色材の量を多くすればよい。
【００６５】
また、図６のようなスラット単位で色を変える第２スラット２２と、スラット内でグラデーションを持たせて色を変える第２スラット２２とを混在させてもよい。
【００６６】
なお、以上のような構成からなる、光制御層３０は次のようにして製造され得る。まず、第１部分３１及びベース部分３３をなす光制御層本体３４を、例えば、電子線、紫外線等の電離放射線の照射により硬化する特徴を有するエポキシアクリレート等の硬化性材料を用いて、作製する。具体的には、光制御層本体３４の溝３４ａの構成（配置、形状等）に対応した凸部を有する型ロール、言い換えると、第１部分３１の構成（配置、形状等）に対応した凹部を有する型ロールを準備する。当該型ロールとニップロールとの間に基材層４０をなすようになるシートを送り込み、該シートの送り込みに合わせて、硬化性材料を型ロールと基材層４０との間に供給する。その後、基材層４０上に供給された未硬化状態で液状の硬化性材料が型ロールの凹部に充填されるように、型ロールおよびニップロールで該硬化性材料を押圧する。このとき、型ロールの凹部の深さより厚くなるように、すなわち、型ロールと基材層４０とが接触しないように、硬化性材料を基材層４０上に供給しておくことによって、上述したベース部分（ランド部）３３が、第１部分３１と一体的に硬化性材料から形成されるようになる。以上のようにして基材層４０と型ロールとの間に未硬化で液状の硬化性材料を充填した後、光を照射して該硬化性材料を硬化（固化）させることによって光制御層本体３４を形成することができる。
【００６７】
次に、硬化することによって主部３２ａをなすようになる硬化性材料と、任意の機能性含有物３２ｂと、を含んだ未硬化で液状の組成物を用いて第２部分３２を作製する。硬化することによって主部３２ａをなすようになる硬化性材料として、電離放射線により硬化する特徴を有するウレタンアクリレート等の硬化性材料を用いることができる。まず、先に形成された光制御層本体３４上に組成物を供給する。その後、隣り合う第１部分３１の間の形成された溝３４ａ、すなわち、型ロールの凸部に対応していた部分の内部に、ドクターブレードを用いながら、組成物を充填しつつ、該溝３４ａ外に溢出した余剰分の組成物を掻き落としていく。その後、第１部分３１の間の組成物に電離放射線を照射して硬化させることにより、第２部分３２が形成される。これにより、基材層４０、並びに、基材層４０上に設けられたベース部分３３と、ベース部分３３上に設けられた第１部分３１及び第２部分３２と、を有する第２スラット２２が作製される。
【００６８】
次に、以上に説明した本実施の形態のブラインド１０の作用について説明する。まず、操作グリップ１４を操作することにより、窓１に対面する位置において上下に間隔をあけて配列された多数のスラット２０の傾きを調整する。本実施の形態では、その板面が互いに平行となるようにして、薄板状のスラット２０が配列されている。そして、操作グリップ１４を操作することにより、ブラインド１０に含まれるすべてのスラット２０の傾きを調節することができる。
【００６９】
図２に示された状態では、スラット２０の板面は、室外側から室内側に向けてしだいに下方に位置するようにして、水平方向および鉛直方向の両方向に対し傾斜している。とりわけ、スラット２０の板面が、太陽光の入射方向と概ね平行となるように、スラット２０の傾きが調整されている。このようなブラインド１０によれば、太陽光Ｌ２１，Ｌ２２，Ｌ２３を高い効率にて室内へ採光することができ、太陽光Ｌ２１，Ｌ２２，Ｌ２３によって室内を明るく照明することができる。また同時に、下方領域１０ｂに設けられた、第２スラット２２は不透明であることから、この第２スラット２２によって、室外から室内の視認性を悪化させることができる。すなわち、第２スラット２２により、採光を可能にしながら、併せて、室外から室内を覗かれることを防止することができる。
【００７０】
なお、上方領域１０ａに位置する第１スラット２１は、透光性となっている。しかしながら、通常、窓１の上縁は人間の目身長よりも高い位置に配置されていることから、当該窓１が配置されている周辺環境にもよるが、窓１の上方部分を介して室内が覗かれることが問題となることは稀である。したがって、第２スラット２２が透光性であることにより、ブラインド１０の目隠し機能が著しく劣化することは想定し難い。
【００７１】
ただしこの観点から、第２スラット２２が配置される上方領域１０ａは、一般的な人間の身長や室内にいる人間の目線よりも高い位置にあること、例えば１８０ｃｍより上方に位置していることが好ましい。また、本実施形態では、第１スラット領域に近い側に配置された第２スラット２２については、第１スラット領域と同系色相で着色しているため、第２スラット２２によっても、室外から室内が覗かれることを効果的に防止することができ、これにより、ブラインド１０が、室内への太陽光の採光を可能としながら、プライバシー保護機能を十分に発揮することができる。
【００７２】
一方、図３に示された状態では、スラット２０の板面は、概ね鉛直方向に延びている。このようなブラインド１０によれば、下方領域１０ｂに位置する遮光性の第１スラット２１が目隠し機能を発揮し、室外から室内を覗かれることを極めて効果的に防止することができ、例えばプライバシーの保護が図られる。また、太陽光Ｌ３２，Ｌ３３が進行方向を変えることなくそのまま室内に入射することを防止することができる。すなわち、ブラインド１０が、防眩の観点から、室内への直達光を規制する遮光機能を発揮することができる。また、スラット２０が閉じたブラインド１０は、室内及び室外の間での熱移動を規制し、遮熱機能を発揮することができる。
【００７３】
ところで、図３に示された全閉状態において、従来のブラインドであれば、太陽光の室内への入射が規制されるため、室内が暗くなってしまい、室内照明を用いる必要が生じる。一方、本実施の形態によれば、ブラインド１０に含まれるスラット２０のうちの、上方に位置する一部の第２スラット２２が、屈折率界面を構成する第１部分３１及び第２部分３２を含んだ光制御層３０を有している。そして、第１部分３１及び第２部分３２の配列方向である第３方向ｄ３は、図３に示された全閉状態において、図５に示すように概ね鉛直方向に延びるようになり、且つ、本実施の形態では、第２部分３２の底面３５の側が室外側に位置して第１側面３６が上方に位置するようになる。このため、図５に示すように、第２スラット２２に斜め上方から入射する太陽光Ｌ５１，Ｌ５２は、第１部分３１と第２部分３２の第１側面３６との界面において、反射する。したがって、図３に示すように、斜め上方からの太陽光Ｌ３１が、室内の上方の領域、典型的には、入射した第２スラット２２よりも上方の領域に跳ね上げられるようになる。このため、第２スラット２２による採光は、窓１から離間した室内の奥側の領域まで太陽光Ｌ３１を導くことができる。
【００７４】
とりわけ第２部分３２の屈折率が第１部分３１の屈折率よりも低い場合には、第１部分３１に入射して第１部分３１及び第２部分３２の界面に到達した光を全反射することができる。全反射によれば、反射損失を生じさせることがないので、期待した方向に太陽光を高い効率にて採光することができ且つ第１スラット２１の温度上昇を回避することもできる点においても好ましい。
【００７５】
加えて、本実施の形態では、図５に示すように、第２部分３２の第１側面３６は、入光側となる室外側に急斜面３６ａを有し、室内側に緩斜面３６ｂを有している。このため、図５に示すように、水平方向に対して比較的に大きく傾いた方向に進む光Ｌ５２が急斜面３６ａに入射しやすくなる。急斜面３６ａは、このような傾斜のきつい方向からの光Ｌ５２の進行方向を大きく立ち上げ過ぎないように曲げ、室内の窓１から離間した奥側へ効果的に誘導することができる。一方、水平方向に対して比較的に緩やかに傾いた方向に進む光Ｌ５１が緩斜面３６ｂに入射しやすくなる。緩斜面３６ｂは、このような傾斜の緩やかな方向からの光Ｌ５１の進行方向を大きく立ち上げ過ぎないように曲げ、室内の窓１から離間した奥側へ効果的に誘導することができる。
【００７６】
このように、第１の実施形態では、通常の目隠し機能および遮光機能を備えた第１スラット２１と、主に採光機能を有する第２スラット２２とを備えたブラインド１０において、第１スラット２１に隣接した第２スラット２２を第１スラットと同系色相の色で着色したため、第１スラット２１と第２スラット２２をすべて閉じたときに、ブラインド１０全体としての色に統一感を持たせることができ、第１スラット領域と第２スラット領域の境目が目立ちにくくなる。また、第２スラット２２は、個々のスラットごとに色を変化させるようにしたため、第１スラット２１からの距離が離れるにつれて採光機能を高めることができ、ブラインド１０全体としての色の統一感もより向上する。これにより、本実施形態によれば、従来の目隠し機能および遮光機能に加えて採光機能を持ちつつ、意匠性にも優れたブラインド１０を提供できる。
【００７７】
（第２の実施形態）
上述した第１の実施形態では、ブラインド１０を第１スラット領域と第２スラット領域の２つに区分けする例を示したが、以下に説明する第２の実施形態では、第２スラット領域をさらに２つに区分けして、計３つのスラット領域を設けるものである。
【００７８】
図８は第２の実施形態に係るブラインド１０の外観を示す図である。図８に示すように、第２スラット領域は、第３スラット領域と第４スラット領域に区分けされている。第３スラット領域は、第１方向（上下方向）に沿って第１スラット領域と離隔して配置され、１以上の透光性スラットを有する。第４スラット領域は、第１方向に沿って第１スラット領域と第３スラット領域とに接するように配置され、第１スラット領域に隣接する透光性スラットが第１スラット領域と同系色相で着色されている。以下では、第３スラット領域を構成する１以上のスラットを第３スラット２３と呼び、第４スラット領域を構成する１以上のスラットを第４スラット２４と呼ぶ。
【００７９】
本実施形態では、第３スラット領域と第４スラット領域はともに採光機能を有する透光性スラットを有するが、第４スラット領域では、第１スラット領域のスラットの色と同系色相の色にすることを優先して第３領域のスラットよりも採光効率が低いスラットを用いている。ただし、第４スラット領域では、採光機能を有さない透光性スラットを用いてもよい。
【００８０】
第３スラット領域はブラインド１０の最上部側に配置され、この第３スラット領域と、最下部側に配置される第１スラット領域との間に、第４スラット領域が配置されている。第３スラット領域は、ブラインド１０の最上部側に配置されるため、第４スラット領域よりも採光効率を高くして、外光をより多く室内に取り込めるようにしている。そして、第３スラット領域は、前記第１スラット領域のスラットの色と色相が異なっている。なお、色相が異なるとは、同一色相ではないことをいう。
【００８１】
第３スラット領域を構成する第３スラット２３に、採光機能以外の機能、例えば熱線吸収や直進透過光抑制の機能を持たせたい場合は、第３スラット２３の第１部分３１と第２部分３２の少なくとも一方に、熱線吸収材や特定の着色材を含有させればよい。このように、第３スラット２３の第１部分３１と第２部分３２の少なくとも一方には、着色材が含有されて、それによって第３スラット２３の外観に何等かの色が現れることがありうるが、第３スラット２３の外観の色は、第１スラット２１の外観の色と関連性を持たせる必要はない。
【００８２】
第４スラット領域は、第１スラット領域と第３スラット領域との間に配置されるため、第４スラット領域を構成する第４スラット２４のうち、第１スラット領域に隣接した第４スラット２４は、第１スラット２１と同系色相の色で着色されている。また、第４スラット領域を構成する第４スラット２４のうち、第３スラット領域に隣接した第４スラット２４は、第３スラット２３と同系色相の色で着色されていることが望ましい。このようにするときには、第４スラット領域を構成する第４スラット２４の色を、第１スラット領域に近い側から第３スラット領域に近い側にかけて、段階的に変化させることが望ましい。第４スラット２４の色を変化させる具体的な手段は、第１の実施形態で説明したように、第４スラット２４内の第１部分３１と第２部分３２の少なくとも一方に含有される着色材の量や種類を変えたり、第２部分３２の形状、サイズ、数および間隔の少なくとも一つを変えたり、機能層４５や基材層４０の層に含有される着色材の量や種類を変えればよい。
【００８３】
第４スラット領域を構成する各第４スラット２４の色を、第１スラット領域に隣接した第４スラット２４から上方に沿ってスラットごとに色が段階的に変化させ、または／および第３スラット領域に隣接した第４スラット２４から下方に沿ってスラットごとに色が段階的に変化させることにより、仮に第３スラット領域が何等かの色で着色されていたとしても、第１スラット領域と第４スラット領域との境界、または／および第４スラット領域と第３スラット領域との境界が目立ちにくくなり、ブラインド１０全体としての色に統一感を持たせることができる。
【００８４】
上述した第２の実施形態の変形例として、ブラインド１０を４つ以上のスラット領域に区分けして、これらスラット領域のうち、第１方向（上下方向）に離隔して配置される２つのスラット領域が互いに同系色相でない色で着色されていてもよい。この場合、これら２つのスラット領域の間に配置された１つ以上のスラット領域を構成する各スラットの色を段階的に変化させることにより、同系色相でない２つのスラット領域との境界を目立たなくさせることができる。
【００８５】
なお、第２の実施形態においても、スラット単位で第４スラット２４の色を変えるのではなく、図７に示すように、一つのスラット内で第４スラット２４の色を変えるグラデーション着色を行ってもよい。このようにすることで、色が急激に変わることによる美観の低下を抑制することができる。
【００８６】
上述した第１および第２の実施形態では、ブラインド１０内の第２スラット２２の内部に、図４および図５に示すような第１部分３１と第２部分３２を設ける例を示したが、第２スラット２２の内部構造は、図４および図５に示す例に限定されない。例えば、図９は第２スラット２２の一変形例に係る内部構造を示す図であり、第３方向に沿ってプリズム面５０を有し、このプリズム面５０での反射や屈折によって光の進行方向を曲げて光を取り込むものである。図９のプリズム面５０は、シート状の本体部５１と、この本体部５１上に配列された多数の単位プリズム５２とを有し、本体部５１と単位プリズム５２は、光が透過可能となるように透明材料で形成されている。個々の単位プリズム５２は、第２スラット２２の短手方向である第３方向に沿って配置され、第２スラット２２の長手方向である第２方向（紙面の表裏方向）に延在されている。また、個々の単位プリズム５２は、プリズム面５０上に隙間無く配列されている。
【００８７】
単位プリズム５２はプリズム面５０に対して傾斜した角度を持つ第１面５２ａ及び第２面５２ｂと、を有している。第２スラット２２では、第１面５２ａ及び第２面５２ｂの一方から単位プリズム５２に入射された光を、当該単位プリズム５２の第１面５２ａ及び第２面５２ｂの他方で反射させることにより、太陽光の進行方向を変化させ且つ当該太陽光が第２スラット２２を透過することを可能にする。
【００８８】
本実施形態では、プリズム面５０のうち、少なくとも第１スラット領域に近い側については、第１スラット領域と同系色相の色で着色している。プリズム面５０を着色する際には、少なくとも一部の単位プリズム５２の部分に着色材を含有させればよい。あるいは、プリズム面５０の本体部５１の少なくとも一部に着色材を含有させてもよい。
【００８９】
（第３の実施形態）
上述した第１および第２の実施形態では、窓１等の採光具の全体を覆うブラインド１０を念頭に置いていたが、本発明は、窓１等の採光具の一部を覆うブラインド１０にも適用可能である。
【００９０】
図１０は窓１等の採光具１１の下部側を覆うブラインド１０を備えた照明装置の一例を示す図である。図１０のブラインド１０は、第１および第２の実施形態で説明した第１スラット２１と同様の既知のスラットを第１方向（例えば上下方向）に複数配列したものである。ブラインド１０の最上部には、スラット２１の少なくとも一部を収納可能な取付ボックス１２が設けられているが、本実施形態では、スラット２１と取付ボックス１２がともに同じ色で着色されているものとする。
【００９１】
図１０の採光具１１は、窓１単体でもよいし、窓１にウインドウフィルム４５を貼り付けたものでもよい。以下では、窓１にウインドウフィルム４５を貼り付けた採光具１１について主に説明する。図１１は窓１にウインドウフィルム４５を貼り付けた採光具１１の断面図である。図１１のウインドウフィルム４５は、その内部構造として、第１部分４１と複数の第２部分４２とを備えている。第１部分４１は、ウインドウフィルム４５の一方の表面１ａ上の第１方向（鉛直方向）に離隔して形成され、それぞれが第２方向（水平方向）に延びる複数の溝を有する。これら溝に所定の充填物を充填したものが複数の第２部分４２である。
【００９２】
一方の表面１ａ上には接着層４３を介して窓１が貼り付けられ、他方の表面１ｂ上には基材層４４が設けられている。
【００９３】
図１０では、第２部分４２の断面形状が台形の例を示しているが、第２部分４２の断面形状は必ずしも台形でなくてもよく、例えば矩形状でもよい。
【００９４】
第１部分４１と第２部分４２は、可視光領域において所望の透過率を有するように調整され得る。可視光領域における平均透過率は、一例として、７０％以上に調整される。平均透過率が上記範囲を満たすと、ウインドウフィルム４５全体としての可視光領域における透過率を十分に得られるため、ウインドウフィルム４５の外観が暗くなることや、室内等へ十分な採光が確保できずに室内等の照度が不足することを抑制することができる。
【００９５】
第１部分４１の屈折率と第２部分４２の屈折率は異なっており、第１部分４１を透過して第２部分４２の側面に入射された光は、この側面で反射されて、斜め上方に跳ね上げられる。これにより、外光を室内の天井方向に取り込むことができる。
【００９６】
本実施形態では、ウインドウフィルム４５をブラインド１０と同系色相に着色し、窓１等の採光具１１とブラインド１０との境界を目立たなくさせている。ウインドウフィルム４５の着色は、例えば、ウインドウフィルム４５内の第１部分４１と第２部分４２の少なくとも一方に、ブラインド１０と同系色相の着色材を含有させればよい。着色材を含有させると、採光効率が悪くなるおそれがあることから、ブラインド１０に近い側の第１部分４１と第２部分４２の少なくとも一方は着色材の含有量を多くして、ブラインド１０から遠くなるほど、第１部分４１と第２部分４２の少なくとも一方の着色材の含有量を少なくして採光効率の低下を抑制するのが望ましい。
【００９７】
また、着色材の含有量を増減する代わりに、第２部分４２の形状、サイズ、数および間隔を可変させて、ウインドウフィルム４５の外観上の色を変化させてもよい。
【００９８】
なお、ウインドウフィルム４５を設けずに、上述した第１部分４１と第２部分４２が窓１に一体的に組み込まれた採光具１１の場合においても、ブラインド１０に近い側の第１部分４１と第２部分４２の少なくとも一方は着色材の含有量を多くして、ブラインド１０から遠くなるほど、第１部分４１と第２部分４２の少なくとも一方の着色材の含有量を少なくして採光効率の低下を抑制するのが望ましい。
【００９９】
このように、第３の実施形態では、所定の色に着色された通常のブラインド１０が窓１等の採光具１１の下部側のみに設けられている場合には、ブラインド１０で覆われない採光具１１の上部側をブラインド１０と同系色相の色で着色するため、ブラインド１０と採光具１１との境界が目立ちにくくなり、ブラインド１０と採光具１１を合わせた照明装置の全体で色の統一感を出すことができる。
【０１００】
本発明の態様は、上述した個々の実施形態に限定されるものではなく、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。
【符号の説明】
【０１０１】
２  壁、３  天井、４  床、１０  ブラインド、１１  採光具、１２  取付ボックス、１４  操作グリップ、１６  ラダーコード、１８  昇降コード、２０  スラット、２１  第１スラット、２２  第２スラット、２３  第３スラット、２４  第４スラット、３０  光制御層、３１  第１部分、３２  第２部分、４０  基材層、５０  プリズム面、５１  本体部、５２  単位プリズム
【図１】
2015004183.tif 000003
【図２】
2015004183.tif 000004
【図３】
2015004183.tif 000005
【図４】
2015004183.tif 000006
【図５】
2015004183.tif 000007
【図９】
2015004183.tif 000008
【図１０】
2015004183.tif 000009
【図１１】
2015004183.tif 000010
【図６】
2015004183.tif 000011
【図７】
2015004183.tif 000012
【図８】
2015004183.tif 000013